【手続補正書】
【提出日】平成24年10月12日(2012.10.12)
【手続補正１】
【補正対象書類名】特許請求の範囲
【補正対象項目名】全文
【補正方法】変更
【補正の内容】
【特許請求の範囲】
【請求項１】
複数の番組ストリームと、前記番組ストリームの記録に関する情報とを記録した記録媒体と接続可能なコントローラであって、
表示装置を制御可能な表示制御手段と、
ユーザによる指示を受け付ける受付手段と、を備え、
前記表示制御手段は、
複数の選択項目を含むメニュー画像を前記表示装置に表示させるとともに、
前記受付手段が前記複数の選択項目の中から所定の項目を選択する指示を受け付けたときに、前記複数の選択項目に加えて、前記記録媒体に記録された複数の番組ストリームの中の少なくとも一部の番組ストリームに対応する番組を示す代表画像を前記メニュー画像に含めて表示させるように、前記表示装置を制御し、
前記メニュー画像は複数の代表画像を含み、
前記表示制御手段は、前記メニュー画像における前記代表画像の位置を所定時間毎に自動的に切り替える、
コントローラ。
【請求項２】
前記表示制御手段は、前記番組ストリームが記録された時間に基づいて前記記録媒体に記録された複数の番組ストリームの中から一部の番組ストリームを選択し、前記選択した番組ストリームから前記メニュー画像に含まれる前記番組を示す代表画像を生成する、請求項１に記載のコントローラ。
【請求項３】
前記記録媒体に記録された番組ストリームに関する記録状態に変更が生じたことを検知する検知手段をさらに備え、
前記表示制御手段は、前記検知手段が前記記録媒体に記録された番組ストリームに関する記録状態に変更が生じたことを検知したときに、前記メニュー画像に含まれる前記番組を示す代表画像を生成する、
請求項１に記載のコントローラ。
【請求項４】
前記表示制御手段は、前記受付手段が当該コントローラを含む装置の電源状態をＯＦＦにする指示を受け付けたときに、前記メニュー画像に含まれる前記番組を示す代表画像を生成する、請求項１に記載のコントローラ。
【請求項５】
前記記録媒体に記録された番組ストリームが視聴されたか否かを判別する判別手段をさらに備え、
前記表示制御手段は、前記判別手段の判別結果に基づいて、前記メニュー画像に含まれる前記番組を示す代表画像を生成する、
請求項１に記載のコントローラ。
【請求項６】
前記番組を示す代表画像は、前記番組ストリームにおいて開始時点から所定時間経過後における静止画像又は／及び動画像である、請求項１に記載のコントローラ。
【請求項７】
前記番組を示す代表画像は、前記番組ストリームに対応する番組の番組タイトルを含む、請求項１に記載のコントローラ。
【請求項８】
前記番組ストリームにおけるシーンの切り替わりを検出するシーン検出手段をさらに備え、
前記番組を示す代表画像は、前記シーンの切り替わりの直前または直後の静止画像又は／及び動画像である、
請求項１に記載のコントローラ。
【請求項９】
前記所定の選択項目は、前記記録媒体に記録された番組ストリームを再生する機能を実行するために選択される項目である、請求項１に記載のコントローラ。
【請求項１０】
複数の番組ストリームと、前記番組ストリームの記録に関する情報とを記録した記録媒体と、
ユーザからの操作の指示を受け付ける受付手段と、
前記記録媒体に記録された番組ストリームの表示装置への表示を制御するコントローラと、を備え、
前記コントローラは、
複数の選択項目を含むメニュー画像を前記表示装置に表示させるとともに、
前記受付手段が前記複数の選択項目の中から所定の項目を選択する指示を受け付けたときに、前記複数の選択項目に加えて、前記記録媒体に記録された複数の番組ストリームの中の少なくとも一部の番組ストリームに対応する番組を示す代表画像を前記メニュー画像に含めて表示させるように、前記表示装置を制御し、
前記メニュー画像は複数の代表画像を含み、
前記コントローラは、前記メニュー画像における前記代表画像の位置を所定時間毎に自動的に切り替える、
録画機器。
【請求項１１】
複数の選択項目を含むメニュー画像を表示装置へ表示する方法であって、
前記複数の選択項目は、記録媒体に記録された番組ストリームを再生する機能を実行するために選択される項目を含み、
前記方法は、
メニュー画像上でユーザからの操作を受け付け、
前記メニュー画像上で、前記複数の選択項目の中から前記番組ストリームを再生するための項目を選択する操作を受け付けたときに、前記複数の選択項目と、前記記録媒体に記録された番組ストリームに対応する番組を示す代表画像とを前記メニュー画像に含めて前記表示装置に表示させ、
前記メニュー画像は複数の代表画像を含み、
前記メニュー画像における前記代表画像の位置を所定時間毎に自動的に切り替える、
メニュー画像表示方法。
【手続補正２】
【補正対象書類名】明細書
【補正対象項目名】０００８
【補正方法】変更
【補正の内容】
【０００８】
本発明の第１の態様によれば、複数の番組ストリームと、番組ストリームの記録に関する情報とを記録した記録媒体と接続可能なコントローラが提供される。コントローラは、表示装置を制御可能な表示制御手段と、ユーザによる指示を受け付ける受付手段と、を備える。表示制御手段は、複数の選択項目を含むメニュー画像を表示装置に表示させる。受付手段が複数の選択項目の中から所定の項目を選択する指示を受け付けたときに、複数の選択項目に加えて、記録媒体に記録された複数の番組ストリームの中の少なくとも一部の番組ストリームに対応する番組を示す代表画像をメニュー画像に含めて表示させるように、表示装置を制御する。メニュー画像は複数の代表画像を含む。表示制御手段は、メニュー画像における代表画像の位置を所定時間毎に自動的に切り替える。
【手続補正３】
【補正対象書類名】明細書
【補正対象項目名】０００９
【補正方法】変更
【補正の内容】
【０００９】
本発明の第２の態様によれば、複数の番組ストリームと、番組ストリームの記録に関する情報とを記録した記録媒体と、ユーザからの操作を受け付ける受付手段と、記録媒体に記録された番組ストリームの表示装置への表示を制御するコントローラとを備える録画機器が提供される。コントローラは、複数の選択項目を含むメニュー画像を表示装置に表示させる。コントローラは、受付手段が複数の選択項目の中から所定の項目を選択する指示を受け付けたときに、複数の選択項目に加えて、記録媒体に記録された複数の番組ストリームの中の少なくとも一部の番組ストリームに対応する番組を示す代表画像をメニュー画像に含めて表示させるように、表示装置を制御する。メニュー画像は複数の代表画像を含む。コントローラは、メニュー画像における代表画像の位置を所定時間毎に自動的に切り替える。
【手続補正４】
【補正対象書類名】明細書
【補正対象項目名】００１０
【補正方法】変更
【補正の内容】
【００１０】
本発明の第３の態様によれば、複数の選択項目を含むメニュー画像を表示装置へ表示する方法が提供される。複数の選択項目は、記録媒体に記録された番組ストリームを再生する機能を実行するために選択される項目を含む。メニュー画像の表示方法は、メニュー画像上でユーザからの操作を受け付け、メニュー画像上で、複数の選択項目の中から番組ストリームを再生するための項目を選択する操作を受け付けたときに、複数の選択項目と、記録媒体に記録された番組ストリームに対応する番組を示す代表画像とをメニュー画像に含めて表示装置に表示させる。メニュー画像は複数の代表画像を含み、メニュー画像の表示方法は、メニュー画像における代表画像の位置を所定時間毎に自動的に切り替える。